(57)【要約】【課題】オフモードにおける省電力が可能で、かつ装置寿命が短くならないこと。【解決手段】ＡＣ入力３１を開閉し電源オフ状態又は電源オン状態とするＡＣ入力開閉手段２１０と、一次側に自動復帰型の第１のスイッチ４５を具備し、ＡＣ入力３１を用いてＡＣ入力開閉手段２１０を電源オン状態とする電源オン手段２３０と、ＡＣ入力開閉手段２１０の電源オン状態におけるＡＣ入力３１をＤＣ出力電圧６７に変換するＡＣ−ＤＣ電源手段２２０とを備え、ＡＣ−ＤＣ電源手段２２０により出力されたＤＣ出力電圧６７により制御手段２４０を動作させ、制御手段２４０により、電源オン手段２３０を介してＡＣ入力開閉手段２１０の電源オン状態を継続する。【選択図】図２
2020148951.tif 000002
【特許請求の範囲】
【請求項１】
ＡＣ入力を開閉し電源オフ状態又は電源オン状態とするＡＣ入力開閉手段と、
一次側に自動復帰型の第１のスイッチを具備し、前記ＡＣ入力を用いて前記ＡＣ入力開閉手段を電源オン状態とする電源オン手段と、
前記ＡＣ入力開閉手段の電源オン状態における前記ＡＣ入力をＤＣ出力電圧に変換し出力するＡＣ−ＤＣ電源手段とを備え、
前記ＡＣ−ＤＣ電源手段により出力された前記ＤＣ出力電圧により制御手段を動作させ、
前記制御手段により、前記電源オン手段を介して前記ＡＣ入力開閉手段の電源オン状態を継続することを特徴とする電源供給装置。
【請求項２】
更に、自動復帰型の第２のスイッチを具備し電源オフ状態とする電源オフ手段を備え、
前記電源オフ手段により前記第２のスイッチのスイッチ押下検出信号を前記制御手段に出力し、
前記電源オン手段により前記ＡＣ入力開閉手段を電源オフ状態とすることを特徴とする請求項１記載の電源供給装置。
【請求項３】
前記電源オフ手段は、前記スイッチ押下検出信号を、前記第１のスイッチと独立した前記第２のスイッチの押下に基づいて生成することを特徴とする請求項２記載の電源供給装置。
【請求項４】
前記電源オフ手段の具備する前記第２のスイッチは、前記第１のスイッチと同時に開閉するものであって、
前記スイッチ押下検出信号は、前記第２のスイッチが閉状態のときの前記ＡＣ入力に基づいて生成することを特徴とする請求項２記載の電源供給装置。
【請求項５】
前記スイッチ押下検出信号は、前記ＡＣ入力開閉手段の電源オン状態において前記第２のスイッチが閉状態のときの前記ＡＣ入力の周期に基づくパルス信号であり、
前記制御手段は、前記パルス信号の所定のパルス数をカウントすることにより、前記第２のスイッチの押下を判定し、前記ＡＣ入力開閉手段を電源オフ状態とすることを特徴とする請求項４記載の電源供給装置。
【請求項６】
前記パルス信号は、前記第２のスイッチが閉じている間に一次側双方向フォトカプラに印加される前記ＡＣ入力に基づく印加電圧の絶対値が該一次側双方向フォトカプラのオン閾値電圧を超えたときに二次側双方向フォトカプラのフォトトランジスタをオンさせて生成することを特徴とする請求項５記載の電源供給装置。
【請求項７】
前記ＡＣ入力開閉手段は、トライアック又はサイリスタを用いることを特徴とする請求項１乃至６いずれか一記載の電源供給装置。
【請求項８】
前記電源オン手段は、フォトトライアックカプラを用いることを特徴とする請求項１乃至６いずれか一記載の電源供給装置。
【請求項９】
前記請求項１乃至８いずれか一記載の電源供給装置と、
前記電源供給装置からの前記ＤＣ出力電圧により起動する前記制御手段とを備え、前記制御手段の制御に基づいて用紙に印刷を行うことを特徴とする画像形成装置。
【請求項１０】
ＡＣ入力を開閉し電源オフ状態又は電源オン状態とするＡＣ入力開閉手段と、
一次側に自動復帰型の第１のスイッチを具備し、前記ＡＣ入力を用いて前記ＡＣ入力開閉手段を電源オン状態とする電源オン手段と、
前記ＡＣ入力開閉手段の電源オン状態における前記ＡＣ入力をＤＣ出力電圧に変換し出力するＡＣ−ＤＣ電源手段と、
前記ＡＣ−ＤＣ電源手段により出力された前記ＤＣ出力電圧により動作する制御手段とを備え、
前記制御手段は、前記電源オン手段を介して前記ＡＣ入力開閉手段の電源オン状態を継続することを特徴とする電源供給装置。
【請求項１１】
更に、自動復帰型の第２のスイッチを具備し電源オフ状態とする電源オフ手段を備え、
前記電源オフ手段により前記第２のスイッチのスイッチ押下検出信号を前記制御手段に出力し、
前記電源オン手段により前記ＡＣ入力開閉手段を電源オフ状態とすることを特徴とする請求項１０記載の電源供給装置。
【発明の詳細な説明】
【技術分野】
【０００１】
本発明は、電源を供給する電源供給装置及び電源供給装置を備えたプリンタ等の画像形成装置に関するものである。
【背景技術】
【０００２】
近年、プリンタ等の画像形成装置においても省電力化の要求が高く、印刷動作の際の電力を低減させる要求に加え、印刷動作を行わない待機中の省電力化をも要求されている。
印刷動作を行わない待機中の状態としては、スリープモード及びオフモードがある。スリープモードは、消費電力を最小限にして待機している状態であり、例えば画像形成装置においてすぐに印刷を開始できるように制御部及びインターフェース部等に必要最小限の電力を供給しているモードである。
【０００３】
また、オフモードは、手動のスイッチ又はタイマー制御により電源オフ状態に移行させるモードで、制御部等には電源供給は行なわれず、電源オン状態に移行させるための回路にのみ電源を供給しているモードである。これらのスリープモード及びオフモードのいずれについても省電力の要求がある。特に、オフモードとなっている状態は長時間に及ぶためにオフモードにおける省電力化の要求が高く、オフモードにおける省電力が可能な電源供給装置が提案されている（例えば、特開平５−６４３６９号公報（特許文献１）参照）。
【先行技術文献】
【特許文献】
【０００４】
【特許文献１】特開平５−６４３６９号公報
【発明の概要】
【発明が解決しようとする課題】
【０００５】
しかしながら、図１１に示す従来の電源供給装置１０２では、オフモードにおける消費電力を少なくし省電力化はできるが、電源を起動するために起動用電池１７９が必要であり、この電池の寿命により装置寿命が短くなるという問題があった。即ち、起動用電池１７９が寿命になると電源を起動することができず、負荷装置の画像形成装置も装置寿命となるという問題があった。
本発明は、このような問題を解決することを課題とし、オフモードにおける省電力が可能で、かつ装置寿命が短くならない電源供給装置及びこれを備えた画像形成装置を提供することを目的とするものである。
【課題を解決するための手段】
【０００６】
上記課題を解決するために本発明に関する電源供給装置は、ＡＣ入力を開閉し電源オフ状態又は電源オン状態とするＡＣ入力開閉手段と、一次側に自動復帰型の第１のスイッチを具備し、前記ＡＣ入力を用いて前記ＡＣ入力開閉手段を電源オン状態とする電源オン手段と、前記ＡＣ入力開閉手段の電源オン状態における前記ＡＣ入力をＤＣ出力電圧に変換し出力するＡＣ−ＤＣ電源手段とを備え、前記ＡＣ−ＤＣ電源手段により出力された前記ＤＣ出力電圧により制御手段を動作させ、前記制御手段により、前記電源オン手段を介して前記ＡＣ入力開閉手段の電源オン状態を継続することを特徴とする。
更に、自動復帰型の第２のスイッチを具備し電源オフ状態とする電源オフ手段を備え、前記電源オフ手段により前記第２のスイッチのスイッチ押下検出信号を前記制御手段に出力し、前記電源オン手段により前記ＡＣ入力開閉手段を電源オフ状態とすることを特徴とする。
【発明の効果】
【０００７】
本発明によれば、上記構成としたので、オフモードにおける省電力が可能で、かつ装置寿命が短くならない電源供給装置及び電源供給装置を備える画像形成装置を提供することができる。
【図面の簡単な説明】
【０００８】
【図１】第１の実施の形態に関する電源供給装置を備える画像形成装置の説明図である。
【図２】第１の実施の形態に関する電源供給装置の回路ブロック図である。
【図３】第１の実施の形態に関する電源供給装置及びその周辺の機能ブロック図である。
【図４】第１の実施の形態に関する電源供給装置のタイムチャート図である。
【図５】第１の実施の形態に関する電源供給装置の電源オン時近傍のタイムチャート図である。
【図６】第１の実施の形態に関する電源供給装置の電源オフ時近傍のタイムチャート図である。
【図７】第２の実施の形態に関する電源供給装置の回路ブロック図である。
【図８】第２の実施の形態に関する電源供給装置及びその周辺の機能ブロック図である。
【図９】第２の実施の形態に関する電源供給装置のタイムチャート図である。
【図１０】第２の実施の形態に関する電源供給装置のスイッチ押下検出回路の動作説明図である。
【図１１】従来の電源供給装置の回路ブロック図である。
【発明を実施するための形態】
【０００９】
（第１の実施の形態）
以下に本発明を実施するための最良の形態である第１の実施の形態について、電源供給装置２及び画像形成装置１の構成を説明する。各図面に共通な要素には同一の符号を付す。
最初に、第１の実施の形態に関する電源供給装置２を備える画像形成装置１の構成を説明する。図１は、第１の実施の形態に関する電源供給装置を備える画像形成装置の説明図である。画像形成装置１は、電源供給装置２の電源の起動により起動し、制御部９０の制御のもとに現像剤（トナー）によって画像形成し用紙Ｐに印刷を行うものである。以下、便宜上、図中右側を「装置正面側」といい、図中左側を「装置背面側」という。
【００１０】
図１に示すように、第１の実施の形態に関する画像形成装置１は、上部に画像形成部７を備え、装置正面側上部に操作表示部３０を備え、装置背面側上部に排出部９を備える。下部には、給紙部１６、電源供給装置２及び制御部９０を備える。
画像形成部７は、例えば４色の画像形成ユニット３が実装されて構成される。画像形成ユニット３は、装置正面側から装置背面側に向かってブラック（Ｋ）、イエロー（Ｙ）、マゼンダ（Ｍ）及びシアン（Ｃ）の順に配設される。
【００１１】
また、画像形成ユニット３には、それぞれブラック（Ｋ）、イエロー（Ｙ）、マゼンダ（Ｍ）及びシアン（Ｃ）のトナーカートリッジ４Ｋ、４Ｙ、４Ｍ及び４Ｃ（以下、総称して「トナーカートリッジ４」という。）が装着される。トナーカートリッジ４は、交換可能とするために画像形成ユニット３から分離できる構造となっている。また、画像形成ユニット３は、上部のカバー１９を閉じることにより印刷ヘッド１７が感光体ドラム１０に当接する構造となっている。
４色の画像形成ユニット３は、現像剤（トナー）の色は異なるが同じ構成となっている。以下、簡略化のためにブラック（Ｋ）の画像形成ユニット３の構成についてのみ説明する。
【００１２】
ブラック（Ｋ）の画像形成ユニット３には、感光体ドラム１０、帯電器１１、現像ローラ１２及びクリーナ１３が収納される。トナーカートリッジ４Ｋには、ブラック（Ｋ）の現像剤（トナー）が収納される。感光体ドラム１０は、周面が光導電性材料で構成され、感光体ドラム１０の周面近傍には、帯電器１１、現像ローラ１２及びクリーナ１３が配設される。転写器１４は、ベルト駆動ローラ６により駆動する転写搬送ベルト１５を介して感光体ドラム１０に当接される。感光体ドラム１０は、図中時計方向に回動し帯電器１１からの電荷付与により周面を一様に帯電される。
【００１３】
感光体ドラム１０は、印刷ヘッド１７による光書き込みにより、感光体ドラム１０の周面に静電潜像を形成し、現像ローラ１２による現像処理によりトナー像が形成される。感光体ドラム１０の周面に形成されるトナー像は、トナーカートリッジ４Ｋに収納したブラック（Ｋ）色のトナーにより形成される。感光体ドラム１０の周面に形成されたトナー像は、感光体ドラム１０の回動に伴って転写器１４の位置に達し、給紙部１６から矢印Ｊに示す方向に給紙され感光体ドラム１０の直下を矢印Ｆに示す方向に移動する用紙Ｐに転写される。用紙Ｐの上面には、上記ブラック（Ｋ）のトナー像と同様に、イエロー（Ｙ）、マゼンダ（Ｍ）及びシアン（Ｃ）のトナー像が順に転写され、印刷が行われる。
【００１４】
定着ユニット２６は、加圧ローラ２６ａ及び加熱ローラ２６ｂから構成され、用紙Ｐが加圧ローラ２６ａと加熱ローラ２６ｂ間を挟持搬送されることにより、用紙Ｐに転写された複数色のトナー像が溶融して用紙Ｐに熱定着する。
排出部９は、トナー像が定着された用紙Ｐを排出ローラ２８ａ、２８ｂ及び２８ｃ（以下「排出ローラ２８」という）により矢印Ｈに示す方向に排出し、排出スタッカ２９へと集積する。
【００１５】
画像形成ユニット３の下側には、両面印刷を行う場合に用紙Ｐを戻し搬送する両面印刷ユニット８が備えられている。両面印刷を行う場合は、定着ユニット２６によってトナー像が定着された用紙Ｐは、搬送方向を切替えるブレード２０により両面印刷ユニット８に戻し搬送される。排出センサ２５は、排出部９へと搬送する用紙Ｐ、更には両面印刷ユニット８へと搬送する用紙Ｐの状態を検出する。
給紙部１６は、給紙カセット２１、給紙ローラ２２、レジストローラ２３及び搬送ローラ２７ａ、２７ｂ等で構成される。給紙ローラ２２は、給紙カセット２１から用紙Ｐを繰り出し、給紙センサ２４は給紙された用紙Ｐの搬送状態を検出する。レジストローラ２３は用紙Ｐの傾きを補正する。印刷タイミング用紙センサ１８は、トナー像の現像位置に合わせて用紙Ｐを転写搬送ベルト１５上に搬送するために、用紙Ｐの正確な位置を検出する。
【００１６】
操作表示部３０は、電源オンオフの操作及び印刷開始等の操作を行うものである。操作表示部３０は、例えば表示部として機能するＬＣＤ（Liquid Crystal Display）上に操作部として機能する透明タッチパネルを積載して構成される。操作表示部３０近傍には、後に図２に示す第１のスイッチとしての電源オンスイッチＳＷ１（４５）及び第２のスイッチとしての電源オフスイッチＳＷ２（７３）が配置される。電源オンスイッチＳＷ１（４５）等は、配線の引き回しを少なくするために、図１に示す電源供給装置２の破線で示すスイッチ部２ａの位置、即ち画像形成装置１の側面に配置するようにしてもよい。
【００１７】
電源供給装置２は、装置背面側に配設され、差込プラグ５ａを有する電源コード５により商用交流電源の供給を受けて後に図２に示すＤＣ出力電圧６７を生成し、制御部９０等にＤＣ出力電圧６７を供給する。
制御部９０は、装置側面等に配設され、給紙センサ２４、印刷タイミング用紙センサ１８及び排出センサ２５による検出出力に基づいて、給紙部１６、画像形成ユニット３及び排出部９の駆動を制御する。また、制御部９０は、電源供給装置２の電源オンオフを制御する。制御部９０は、電源供給装置２からＤＣ出力電圧６７が供給されると各部の制御を開始する。
【００１８】
次に、第１の実施の形態に関する電源供給装置２の構成を説明する。図２は、第１の実施の形態に関する電源供給装置の回路ブロック図である。電源供給装置２は、負荷装置としての画像形成装置１に電源を供給するものである。
図２に示すように、電源供給装置２は、電源オンオフ回路４０、整流回路５０、ＡＣ−ＤＣ電源部（スイッチングレギュレータ）６０及び電源オンオフ制御回路７０から構成される。電源供給装置２には、負荷装置としての画像形成装置１の制御部９０が接続される。制御部９０は、電源供給装置２の制御部とする構成としてもよい。以下、ＡＣ−ＤＣ電源部６０のトランス６０Ｔの図中左側のＡＣ入力３１側を「一次側」といい、トランス６０Ｔの図中右側の制御部９０側を「二次側」という。
【００１９】
電源オンオフ回路４０は、商用交流電源から供給されるＡＣ入力３１を導通させるか遮断するかを制御する。即ち、ヒューズ３２を介して入力されるＡＣ入力３１を整流回路５０に供給するか否かをトライアック４１のオンオフにより制御する。このために第１の実施の形態に関する電源供給装置２の電源オンオフ回路４０は、トライアック４１及び一次側フォトトライアックカプラ４６Ｂ、更には電源オンスイッチＳＷ１（４５）を具備する。
トライアック４１は、主電極のＴ１端子がヒューズ３２に接続され、主電極のＴ２端子が整流回路５０に接続される。尚、トライアック４１は、２個のサイリスタを用いて構成するようにしてもよい。
【００２０】
トライアック４１のゲートＧには、一次側フォトトライアックカプラ４６ＢのＴ１端子及びゲートノイズ抑制用のコンデンサ４２及び抵抗４３が接続される。一次側フォトトライアックカプラ４６ＢのＴ２端子には、抵抗Ｒ４４及びヒューズ３２を介してＡＣ入力３１が接続される。コンデンサ４２及び抵抗４３はそれぞれ０．１μＦ及び１８０Ω程度、抵抗４４は１５０Ω程度とすればよい。
【００２１】
この一次側フォトトライアックカプラ４６Ｂには、電源オンスイッチＳＷ１（４５）が並列に接続され、電源オンスイッチＳＷ１（４５）の押下によってもトライアック４１をオンとすることができる構成となっている。電源オンスイッチＳＷ１（４５）は、自動復帰型スイッチで構成され、図１に示す画像形成装置１の操作表示部３０近傍又は電源供給装置２の側面のスイッチ部２ａに配置される。画像形成装置１の操作表示部３０近傍に設けるときは画像形成装置１の装置内配線により接続すればよい。
【００２２】
このような回路とすることにより、一次側フォトトライアックカプラ４６Ｂがオンした場合又は電源オンスイッチＳＷ１（４５）がオンしたときに抵抗Ｒ４４を介して、トライアック４１のゲートＧにＡＣ入力３１を入力しトライアック４１をオンとする。
一次側フォトトライアックカプラ４６Ｂは、二次側フォトトライアックカプラ４６Ａと一体となっている。二次側フォトトライアックカプラ４６Ａは、発光ダイオードを発光させ光信号４６ｓを出力する。一次側フォトトライアックカプラ４６Ｂは、フォトトライアックにより光信号４６ｓを光信号４６ｒとして受信する。  
【００２３】
整流回路５０は、電源オンオフ回路４０を介してＡＣ入力３１が供給され、供給されたＡＣ入力３１を全波整流して、ＡＣ−ＤＣ電源部６０のトランス６０Ｔの一次側巻き線６１に供給する。整流回路５０は、単相ブリッジ形全波整流回路のダイオードブリッジにより構成される。
整流回路５０の＋側出力には、平滑用の電解コンデンサ５１が接続され、更にトランス６０Ｔの一次側巻き線６１の巻始め側に接続される。一次側巻き線６１の巻終り側は電源スイッチング用のＦＥＴ５２のドレインＤに接続される。ＦＥＴ５２のゲートＧにはゲート電流制限用の抵抗５３が接続される。この抵抗５３にはＦＥＴ５２を制御する電源制御ＩＣ５４の出力が接続される。ＦＥＴ５２のソースＳは、補助巻き線５９の巻終り側、電解コンデンサＳ５７及び電解コンデンサ５１の負極及び整流回路５０の−側出力に接続される。
【００２４】
また、電源制御ＩＣ５４の電源用として、Ｖｉｎ端子に電解コンデンサ５７の正極が接続される。更にＶｉｎ端子には、補助巻き線５９の巻始め側に接続されたダイオード５５と直列に接続された抵抗５６が接続される。このダイオード５５、抵抗５６及び電解コンデンサ５７により、補助巻き線５９で生成される電圧が整流され平滑されて電源制御ＩＣ５４の電源となる。電源制御ＩＣ５４には、電源供給装置２の出力となるＤＣ出力電圧６７を一定電圧に制御するための電圧ＦＢ（フィードバック）回路６６のＦＢ出力信号６５がＦＢ入力信号５８として入力される。
【００２５】
ＡＣ−ＤＣ電源部６０のトランス６０Ｔの二次側巻き線６２の巻始め側には、ダイオード６３のアノードＡが接続され、カソードＫに電解コンデンサ６４の正極が接続される。二次側巻き線６２の巻終り側及び電解コンデンサ６４の負極はＧＮＤ端子に接続される。このダイオード６３及び電解コンデンサ６４により二次側巻き線６２の出力が平滑されＤＣ出力電圧６７として出力される。ＤＣ出力電圧６７は、例えば２４Ｖとして画像形成装置１の制御部９０に出力される。電解コンデンサ６４の両端には電圧ＦＢ回路６６が接続され、ＤＣ出力電圧６７を一定電圧に制御するためのＦＢ出力信号６５を電源制御ＩＣ５４に出力する。ＦＢ出力信号６５は、電源制御ＩＣ５４のＦＢ入力信号５８となる。
【００２６】
電源オンオフ制御回路７０は、画像形成装置１の制御部９０からのＰｏｗｅｒＯＮ−Ｐ信号９５に基づいて電源オンオフ回路４０を制御する。電源オンオフ制御回路７０は、二次側フォトトライアックカプラ４６Ａ及び電源オフスイッチＳＷ２（７３）を具備する。二次側フォトトライアックカプラ４６Ａの発光ダイオードのアノードＡには、抵抗７１を介して制御部９０からのＰｏｗｅｒＯＮ−Ｐ信号９５が入力される。二次側フォトトライアックカプラ４６Ａの発光ダイオードのカソードＫはグランド（ＧＮＤ）に接続される。
【００２７】
電源オフスイッチＳＷ２（７３）は、一端をグランド（ＧＮＤ）に接続し、他端をスイッチ入力信号であるＳＷ２ＯＮ−Ｎ信号９７としてＣＰＵ９４の入力ポートに接続される。ＳＷ２ＯＮ−Ｎ信号９７は、制御部９０においてプルアップ抵抗９６により電源電圧Ｖｃｃ（９３）にプルアップされる。電源オフスイッチＳＷ２（７３）は、自動復帰型スイッチで構成される。
【００２８】
制御部９０は、画像形成装置１及び電源供給装置２を制御する。制御部９０には、画像形成装置１及び電源供給装置２を制御するためのＣＰＵ９４が備えられている。ＣＰＵ９４には、電源供給装置２から供給されるＤＣ出力電圧６７がＤＣ／ＤＣ変換部９２により例えば電源電圧５Ｖに変換されてＣＰＵ９４に供給される。ＣＰＵ９４は、電源供給装置２の電源オンオフを制御する信号としてＰｏｗｅｒＯＮ−Ｐ信号９５を出力する。ＤＣ出力電圧６７は、画像形成装置１の駆動部等に供給電源９１として供給される。
【００２９】
次に、第１の実施の形態に関する電源供給装置２及びその周辺の機能ブロックを説明する。図３は、第１の実施の形態に関する電源供給装置及びその周辺の機能ブロック図である。図３に示すように、第１の実施の形態に関する電源供給装置２は、一次側に、ＡＣ入力開閉手段２１０及び電源オン手段２３０を備える。また、一次側から二次側に亘ってＡＣ−ＤＣ電源手段２２０を備える。二次側には、電源オフ手段２３１を備える。
【００３０】
ＡＣ入力開閉手段２１０は、ＡＣ入力３１を開閉し電源オフ状態又は電源オン状態とするものである。ＡＣ入力開閉手段２１０は、例えば図２に示す電源オンオフ回路４０のトライアック４１により機能する。
電源オン手段２３０は、一次側に自動復帰型の第１のスイッチを具備し、ＡＣ入力３１を用いてＡＣ入力開閉手段２１０を電源オン状態とするものである。電源オン手段２３０は、例えば図２に示す電源オンオフ回路４０の一次側フォトトライアックカプラ４６Ｂと、一次側フォトトライアックカプラ４６Ｂと並列に接続される第１のスイッチとしての電源オンスイッチＳＷ１（４５）により機能する。一次側フォトトライアックカプラ４６Ｂは、二次側の電源オンオフ制御回路７０の二次側フォトトライアックカプラ４６Ａと一体となって機能する。
【００３１】
ＡＣ−ＤＣ電源手段２２０は、ＡＣ入力開閉手段２１０の電源オン状態におけるＡＣ入力３１をＤＣ出力電圧６７に変換し出力するものである。ＡＣ−ＤＣ電源手段２２０は、例えば図２に示す整流回路５０、トランス６０Ｔ、電源制御ＩＣ５４及びＦＥＴ５２からなるスイッチング回路、ダイオード６３及び電解コンデンサ６４からなる平滑回路及び出力電圧を一定とするための電圧ＦＢ回路６６により機能する。
【００３２】
電源オフ手段２３１は、自動復帰型の第２のスイッチを具備し、電源オフ状態とするものである。第１の実施の形態の電源供給装置２においては、電源オフ手段２３１は、例えば図２に示すスイッチ押下検出信号（ＳＷ２ＯＮ−Ｎ信号９７）を生成させる第２のスイッチとしての電源オフスイッチＳＷ２（７３）により機能する。第２のスイッチとしての電源オフスイッチＳＷ２（７３）は、第１のスイッチとしての電源オンスイッチＳＷ１（４５）と独立して動作する。
制御手段２４０は、ＡＣ−ＤＣ電源手段２２０により出力されたＤＣ出力電圧６７により動作し、電源オン手段２３０に対しＡＣ入力開閉手段２１０の電源オン状態を継続させる。更に、制御手段２４０は、電源オフ手段２３１からのスイッチ押下検出信号（ＳＷ２ＯＮ−Ｎ信号９７）に基づいて、電源オン手段２３０を介してＡＣ入力開閉手段２１０を電源オフ状態とする。制御手段２４０は、例えば図２に示す制御部９０により機能する。
【００３３】
上記各手段が次のように接続される。即ち、一次側の電源オン手段２３０及びＡＣ入力開閉手段２１０には、ＡＣ入力３１が入力される。ＡＣ入力開閉手段２１０の出力にはＡＣ−ＤＣ電源手段２２０が接続される。ＡＣ−ＤＣ電源手段２２０の出力はＤＣ出力電圧６７として負荷装置の制御手段２４０に接続される。電源オフ手段２３１の出力は、ＳＷ２ＯＮ−Ｎ信号９７として制御手段２４０に接続される。制御手段２４０からはＰｏｗｅｒＯＮ−Ｐ信号９５が電源オン手段２３０に出力される。
【００３４】
以上の機能ブロックにより、第１の実施の形態に関する電源供給装置２は、電源オン手段２３０により電源オン状態とし、ＡＣ−ＤＣ電源手段２２０により出力されたＤＣ出力電圧６７により制御手段２４０を動作させる。制御手段２４０は、電源オン手段２３０に対しＡＣ入力開閉手段２１０の電源オン状態を継続させる。更に、制御手段２４０は、電源オフ手段２３１によりスイッチ押下検出信号（ＳＷ２ＯＮ−Ｎ信号９７）を制御手段２４０に出力させて、電源オン手段２３０を介してＡＣ入力開閉手段２１０を電源オフ状態とする。
【００３５】
以上の構成により、第１の実施の形態に関する電源供給装置２及び画像形成装置１は、以下のように動作する。最初に、図１を用いて給紙部１６の給紙カセット２１から繰り出された用紙Ｐに画像形成部７により印刷を行う第１の実施の形態に関する画像形成装置１の動作を説明する。
先ず、商用交流電源に電源コード５が接続されていないときは、操作者は、装置背面側に備えた電源コード５の差込プラグ５ａをＡＣ１００Ｖ等の商用交流電源の電源タップに挿入する。その後、操作者は、操作表示部３０の近傍に配置された自動復帰型スイッチの電源オンスイッチＳＷ１（４５）を押下し、電源オン状態とする。電源供給装置２の側面のスイッチ部２ａに電源オンスイッチＳＷ１（４５）が備えられている場合は、操作者は、スイッチ部２ａの電源オンスイッチＳＷ１（４５）を押下する。
【００３６】
制御部９０にＤＣ出力電圧６７供給され、電源供給装置２がオン状態となると、制御部９０は各部の駆動を開始する。その後、図示しないパーソナルコンピュータ等の上位装置から印刷データがＵＳＢケーブル等を経由して画像形成装置１に送信される。
印刷データが送信されてくると、画像形成装置１は、制御部９０により矢印Ｊに示す方向に給紙ローラ２２により給紙カセット２１の用紙Ｐを繰り出し、レジストローラ２３の位置まで搬送し用紙Ｐの傾きを補正する。更に、用紙Ｐを搬送ローラ２７ａ及び２７ｂにより画像形成ユニット３へと搬送する。このとき、制御部９０は、給紙される用紙Ｐが正常に繰り出されたか否かを給紙センサ２４の検出出力により確認する。
【００３７】
用紙Ｐが画像形成ユニット３まで搬送されると、画像形成ユニット３により各色のトナーを用いてそれぞれの感光体ドラム１０上に静電潜像を形成する。更に画像形成ユニット３により、感光体ドラム１０上に形成された静電潜像をトナーにより現像してトナー画像を形成する。その後、印刷タイミング用紙センサ１８により転写開始タイミングを調整し、転写器１４及び転写搬送ベルト１５により感光体ドラム１０上のトナー画像を矢印Ｆに示す方向に搬送される用紙Ｐ上に転写させる。使用されないで感光体ドラム１０上に残留したトナーは、クリーナ１３によって廃トナーとして掻き落とされ除去される。
【００３８】
各色のトナー画像が転写された用紙Ｐは、定着ユニット２６に搬送され、転写されたトナー画像が用紙Ｐに定着される。この定着は、所定の温度に加熱された加熱ローラ２６ｂと加圧ローラ２６ａ間に用紙Ｐを挟持し搬送することにより行われる。トナー画像が定着された用紙Ｐは、排出ローラ２８ａ、２８ｂ及び２８ｃにより搬送され、矢印Ｈに示す方向に排出スタッカ２９へと排出される。このとき、制御部９０は、排出センサ２５により用紙Ｐが正常に搬送され排出されたか否かを検出する。両面印刷が行われる場合には、制御部９０は、ブレード２０により搬送方向を切り替え、上記工程により用紙Ｐの表側に印刷された用紙Ｐを両面印刷ユニット８に戻し搬送する。その後、制御部９０は、用紙Ｐの表裏を反転させて画像形成ユニット３へと搬送し、用紙Ｐの裏側に印刷を行う。
【００３９】
印刷が終了すると、操作者によって、操作表示部３０近傍等に配置された電源オフスイッチＳＷ２（７３）が押下され、電源供給装置２が電源オフ状態となる。このとき、電源コード５の差込プラグ５ａをＡＣ１００Ｖ等の商用交流電源の電源タップに挿入したままにすれば、オフモード状態が保持される。その後、操作者によって、電源オンスイッチＳＷ１（４５）が押下されれば、再び電源供給装置２が電源オン状態となり、画像形成装置１が起動される。
【００４０】
次に、第１の実施の形態に関する電源供給装置２の動作を詳細に説明する。図４は、第１の実施の形態に関する電源供給装置のタイムチャート図である。図４は、オフモードから電源オン状態に移行し、更に電源オフ状態に移行するときの時間ｔの経過に対する各部の信号又は状態を示す。即ち、ＡＣ入力３１の波形、電源オンスイッチＳＷ１（４５）の状態、トライアック４１のゲート電圧の波形、トライアック４１の状態、整流回路５０への入力電圧の波形、ＤＣ出力電圧６７の波形、ＰｏｗｅｒＯＮ−Ｐ信号９５の波形、二次側フォトトライアックカプラ４６Ａの状態、一次側フォトトライアックカプラ４６Ｂの状態、及び電源オフスイッチＳＷ２（７３）の状態を示す。
【００４１】
以下、図４に示すタイミングＴ０乃至タイミングＴ１８について順に、図２の回路ブロック図及び図３の機能ブロック図を用いて電源供給装置２の動作を説明する。最初にタイミングＴ０乃至タイミングＴ９までの第１の実施の形態に関する電源供給装置２の電源オンシーケンスの動作を説明する。
タイミングＴ０：電源供給装置２の差込プラグ５ａをＡＣ１００Ｖ等の商用交流電源の電源タップに挿入したままの場合、オフモードが保持されている。
タイミングＴ１：操作者によって、電源オンスイッチＳＷ１（４５）が押下されると、電源オンスイッチＳＷ１（４５）は閉状態となる。
【００４２】
タイミングＴ２：オフモードにおいて、電源オンスイッチＳＷ１（４５）が閉状態となると、トライアック４１のゲートＧに抵抗４４を介してＡＣ入力３１が供給される。
タイミングＴ３：ゲートＧにＡＣ入力３１が供給されると、トライアック４１がオンし導通状態となり、整流回路５０にＡＣ入力３１が供給され、電源が起動される。
このようにタイミングＴ０乃至Ｔ３において、電源オン手段２３０は、オフモードにおいて電源オンスイッチＳＷ１（４５）が押下されると、ＡＣ入力３１を用いてＡＣ入力開閉手段２１０を導通状態とさせ、ＡＣ−ＤＣ電源手段２２０にＡＣ入力３１が供給される。
【００４３】
図５は、第１の実施の形態に関する電源供給装置の電源オン時近傍のタイムチャート図である。尚、図５は、オフモードから電源オン状態に移行するときの時間ｔの経過に対するＡＣ入力３１の波形、電源オンスイッチＳＷ１（４５）の状態、トライアック４１のゲート電圧の波形及び整流回路５０への入力電圧の波形を示す。
図５に示すように、電源オンスイッチＳＷ１（４５）が押下されると、トライアック４１のゲートＧには、トライアック４１ゲート電圧にＡＣ入力３１が印加され始める（タイミングＴ１）。
【００４４】
その後、トライアック４１のゲートＧに電圧Ｖｏｎ以上又は電圧−Ｖｏｎ以下の電圧が印加されると、そのゲート電圧をトリガーとしてトライアック４１がオンとなり、整流回路５０にＡＣ入力３１が供給され始める（タイミングＴ３）。
このように、電源オンスイッチＳＷ１（４５）が押下されると、ＡＣ入力３１を用いてトライアック４１がオンとなり導通状態となり、整流回路５０にＡＣ入力３１が供給され始め、以下の図４に示すタイミングＴ４に進む。
【００４５】
タイミングＴ４：トライアック４１がオンし導通状態となると、整流回路５０に入力されたＡＣ入力３１が全波整流され電解コンデンサ５１により平滑される。この時、電源制御ＩＣ５４のＶｉｎ端子に所定の電圧が供給され、電源制御ＩＣ５４が起動する。
タイミングＴ５：電源制御ＩＣ５４が起動すると、ＦＥＴ５２のスイッチングが開始され、オン時に一次側巻き線６１に電流が流れ、オフ時に二次側巻き線６２に二次側電圧が発生する。発生した二次側電圧はダイオード６３と電解コンデンサ６４により平滑され、ＤＣ出力電圧６７が出力される。
【００４６】
この時、電圧ＦＢ回路６６によりＤＣ出力電圧６７の電圧を検出し、ＤＣ出力電圧６７の電圧に応じたＦＢ出力信号６５を出力する。ＦＢ出力信号６５は、図示しないフォトカプラを介して一次側の電源制御ＩＣ５４にＦＢ入力信号５８として入力し、ＤＣ出力電圧６７を一定電圧に制御する。即ち、電源制御ＩＣ５４によりＦＥＴ５２のスイッチングデューティを変化させてＤＣ出力電圧６７を一定電圧に制御する。
このようにタイミングＴ４及びＴ５において、ＡＣ−ＤＣ電源手段２２０は、ＡＣ入力開閉手段２１０からＡＣ入力３１が入力されると、ＤＣ出力電圧６７を出力し制御手段２４０に電源を供給する。
【００４７】
タイミングＴ６：制御部９０にＤＣ出力電圧６７が入力されると、ＤＣ／ＤＣ変換部９２によりＣＰＵ９４の電源電圧Ｖｃｃ（９３）（例えば５Ｖ）に変換されＣＰＵ９４に供給され、ＣＰＵ９４が起動する。ＣＰＵ９４が起動すると、ＣＰＵ９４はプログラムによりＰｏｗｅｒＯＮ−Ｐ信号９５をＨｉｇｈレベルとして出力する。
このようにタイミングＴ６において、制御手段２４０は、ＤＣ出力電圧６７が供給されると、ＨｉｇｈレベルのＰｏｗｅｒＯＮ−Ｐ信号９５を電源オン手段２３０に出力する。
タイミングＴ７：ＰｏｗｅｒＯＮ−Ｐ信号９５がＨｉｇｈレベルとなると、二次側フォトトライアックカプラ４６Ａの発光ダイオードのアノードＡにＨｉｇｈレベルの電圧が印加される。
【００４８】
タイミングＴ８：このＨｉｇｈレベルの電圧により二次側フォトトライアックカプラ４６Ａの発光ダイオードに電流が流れ、光信号４６ｓが出力される。一次側フォトトライアックカプラ４６Ｂのフォトトライアックがこれを光信号４６ｒとして受信し、一次側フォトトライアックカプラ４６Ｂがオン状態となる。
一次側フォトトライアックカプラ４６Ｂのフォトトライアックがオン状態となると、電源オンスイッチＳＷ１（４５）の押下が終了しても、電源オンスイッチＳＷ１（４５）を押下したときと同じ状態が保持される。即ち、電源オンスイッチＳＷ１（４５）の押下が終了し電源オンスイッチＳＷ１（４５）が開状態となっても、一次側フォトトライアックカプラ４６Ｂのフォトトライアックがオン状態となっており閉回路が形成される。それ故、トライアック４１のゲートＧの電圧は変化せずに、トライアック４１の導通状態が保持され、図４の黒三角形で示すタイミングでオン状態がラッチされる。
【００４９】
タイミングＴ９：電源オンスイッチＳＷ１（４５）が自動復帰型スイッチの場合、押下が終了すると開状態に復帰する。この時、タイミングＴ８においてオン状態がラッチされているので、電源オンスイッチＳＷ１（４５）が開状態に復帰してもオン状態が保持される。
このようにタイミングＴ７乃至Ｔ９において、電源オン手段２３０は、制御手段２４０からのＨｉｇｈレベルのＰｏｗｅｒＯＮ−Ｐ信号９５によりＡＣ入力開閉手段２１０に電源オン状態を保持させる。
以上のタイミングＴ１からタイミングＴ９間が、第１の実施の形態に関する電源供給装置２の電源オンシーケンスである。
【００５０】
次に、タイミングＴ１０乃至タイミングＴ１８までの第１の実施の形態に関する電源供給装置２のオフモードに移行する電源オフシーケンスの動作を説明する。尚、印刷が終了し所定の時間が経過したときにもオフモードに移行するように動作するが、以下の説明では、電源オンの状態において電源オフスイッチＳＷ２（７３）が押下された場合のオフモードへの移行動作について説明する。
タイミングＴ１０：電源オフスイッチＳＷ２（７３）が押下されると、電源オフスイッチＳＷ２（７３）は閉状態となる。電源オンの状態において電源オフスイッチＳＷ２（７３）が閉状態となると、ＣＰＵ９４に出力するスイッチ押下検出信号としてのＳＷ２ＯＮ−Ｎ信号（９７）はＬｏｗレベルとなり、ＣＰＵ９４は、オフモードに移行する処理を開始する。
【００５１】
このようにタイミングＴ１０において、電源オフ手段２３１は、電源オンの状態において電源オフスイッチＳＷ２（７３）が押下されると、Ｌｏｗレベルのスイッチ押下検出信号としてＳＷ２ＯＮ−Ｎ信号（９７）を制御手段２４０に出力する。
タイミングＴ１１：その後、電源オフスイッチＳＷ２（７３）の押下が終了すると電源オフスイッチＳＷ２（７３）は自動復帰する。
タイミングＴ１２：タイミングＴ１０においてＣＰＵ９４は電源オフのために押下されたと判定すると、オフモードに移行する処理としてＰｏｗｅｒＯＮ−Ｐ信号９５をＬｏｗレベルとする。
このようにタイミングＴ１２において、制御手段２４０は、ＬｏｗレベルのＳＷ２ＯＮ−Ｎ信号（９７）が入力されると、オフモードへの移行するようにＬｏｗレベルのＰｏｗｅｒＯＮ−Ｐ信号９５を電源オン手段２３０に出力する。
【００５２】
タイミングＴ１３：ＬｏｗレベルのＰｏｗｅｒＯＮ−Ｐ信号９５が出力されると二次側フォトトライアックカプラ４６Ａの発光ダイオードのアノードＡ側がＬｏｗレベルとなる。すると、二次側フォトトライアックカプラ４６Ａの発光ダイオードに電流が流れなくなり二次側フォトトライアックカプラ４６Ａはオフ状態となる。
タイミングＴ１４：二次側フォトトライアックカプラ４６Ａの発光ダイオードに電流が流れなくなると、一次側フォトトライアックカプラ４６Ｂのフォトトライアックが光信号４６ｒを受信しなくなり、オフ状態となる。
【００５３】
タイミングＴ１５：一次側フォトトライアックカプラ４６Ｂのフォトトライアックがオフ状態となると、一次側フォトトライアックカプラ４６Ｂによるトライアック４１のゲートＧへのゲート電流が遮断される。この時、電源オンスイッチＳＷ１（４５）も既に開状態となっているので、トライアック４１のゲートＧへのゲート電流はいずれからも供給されず遮断される。トライアック４１のゲートＧへのゲート電流が遮断されるとトライアック４１のゲートＧに印加される電圧が降下する。
【００５４】
タイミングＴ１６：トライアック４１のゲートＧに印加される電圧が降下すると、トライアック４１がオン状態からオフ状態に切り替わる。
このようにタイミングＴ１３乃至Ｔ１６において、制御手段２４０からＬｏｗレベルのＰｏｗｅｒＯＮ−Ｐ信号９５を受けた電源オン手段２３０は、ＡＣ入力開閉手段２１０をオフ状態にする。
タイミングＴ１７：トライアック４１がオフ状態となることにより、ＡＣ入力３１が遮断され、図４の白三角形に示すタイミングで電源オン状態が解除される。
【００５５】
図６は、第１の実施の形態に関する電源供給装置の電源オフ時近傍のタイムチャート図である。尚、図６は、電源オン状態から電源オフ状態に移行するときの時間ｔの経過に対するＡＣ入力３１の波形、二次側フォトトライアックカプラ４６Ａの状態、一次側フォトトライアックカプラ４６ＢのＴ１端子の出力電圧の波形、トライアック４１のゲート電圧の波形及び整流回路５０への入力電圧の波形を示す。
電源オフスイッチＳＷ２（７３）が押下され、ＣＰＵ９４から出力されるＰｏｗｅｒＯＮ−Ｐ信号９５がＬｏｗレベルとなると、図６に示すように、二次側フォトトライアックカプラ４６Ａの発光ダイオードの電流が流れなくなり二次側フォトトライアックカプラ４６Ａがオフ状態となる（タイミングＴ１３）。
【００５６】
二次側フォトトライアックカプラ４６Ａがオフ状態となると、一次側フォトトライアックカプラ４６Ｂのフォトトライアックは、次のＡＣ入力３１のゼロクロス位置でオフ状態となり、一次側フォトトライアックカプラ４６ＢのＴ１端子の出力電圧が０のままとなる（タイミングＴ１４）。
その結果、トライアック４１のゲートＧへの電流が遮断され、トライアック４１のゲート電圧は０のままとなる（タイミングＴ１５）。
【００５７】
トライアック４１のゲートＧへの電流が遮断されると、次のＡＣゼロクロス位置でトライアック４１がオフ状態となり、整流回路５０の入力電圧は０のままとなる（タイミングＴ１６、Ｔ１７）。そして、以下、図４に示すタイミングＴ１８に進む。
タイミングＴ１８：ＡＣ入力３１が遮断されることにより、出力されていたＤＣ出力電圧６７が出力されなくなり、電源供給装置２はオフモードに移行する。
このようにタイミングＴ１７及びＴ１８において、ＡＣ−ＤＣ電源手段２２０は、ＡＣ入力開閉手段２１０がオフ状態となることにより、電源オン状態が解除され、電源供給装置２はオフモードに移行する。
【００５８】
以上のタイミングＴ１０からタイミングＴ１８間が、第１の実施の形態に関する電源供給装置２の電源オフシーケンスである。
第１の実施の形態に関する電源供給装置２及び画像形成装置１では、タイミングＴ１８以降のオフモードにおいて、ＡＣ入力３１から電流が流れるルートはなく、省電力化ができる。即ち、オフモードにおいて、トライアック４１はオフ状態となり、一次側フォトトライアックカプラ４６Ｂもオフ状態となる。また、電源オンスイッチＳＷ１（４５）も開状態であるのでＡＣ入力３１から電流が流れるルートはなく省電力化ができる。
【００５９】
尚、以上の説明では、電源オフスイッチＳＷ２（７３）が押下された場合のオフモードへの移行動作について説明したが、印刷が終了し所定の時間が経過したときのオフモードへの移行動作も同様のシーケンスとなる。この場合、印刷が終了した後、ＣＰＵ９４の図示しないタイマーにより所定の時間を計測し、所定の時間が経過した時にタイミングＴ１２の動作と同様にＰｏｗｅｒＯＮ−Ｐ信号９５をＬｏｗレベルとしオフモードに移行させればよい。
【００６０】
以上のように、第１の実施の形態に関する電源供給装置２及び電源供給装置２を備える画像形成装置１によれば、電源オン手段２３０として一次側フォトトライアックカプラ４６Ｂに並列に電源オンスイッチＳＷ１（４５）を設け、ＡＣ入力３１を用いてＡＣ入力開閉手段２１０のトライアック４１を閉状態とさせて電源オン状態とするようにしたので、電池を用いる必要がなく、オフモードにおける省電力が可能で、かつ電池寿命により装置寿命が短くならないようにすることができる。また、電源オンオフ制御回路７０の部品点数も少なくすることができるので、装置の低価格化も可能となる。
【００６１】
（第２の実施の形態）
次に、第２の実施の形態に関する電源供給装置２及び画像形成装置１の構成を説明する。第２の実施の形態に関する電源供給装置２では、前述の電源オフ手段２３１を電源オフ手段２３２に替え、第１のスイッチ及び第２のスイッチとしての双極単投型の電源スイッチＳＷ３（４９）を備え、電源オン手段２３０及び電源オフ手段２３２として機能する構成となっている。更に、電源オフ手段２３２を機能させるスイッチ押下検出回路８０を設けている。また、第２の実施の形態に関する画像形成装置１においては、制御部９０にスイッチ押下検出信号としてＳＷ３ｂＯＮ−Ｎ信号９８が入力される構成となっている。その他の構成は第１の実施の形態に関する電源供給装置２及び画像形成装置１と同様である。
【００６２】
以下、第２の実施の形態に関する電源供給装置２において、第１の実施の形態に関する電源供給装置２と異なる構成を説明する。図７は、第２の実施の形態に関する電源供給装置の回路ブロック図である。図７に示すように、第２の実施の形態に関する電源供給装置２では、一次側の電源オンオフ回路４０に双極単投型の電源スイッチＳＷ３（４９）を設け、２系統のａ接点及びｂ接点を連動してオンオフするようにしている。電源スイッチＳＷ３（４９）は自動復帰型スイッチとする。以下、ａ接点を「スイッチＳＷ３ａ（４９ａ）」といい、ｂ接点を「スイッチＳＷ３ｂ（４９ｂ）」という。
【００６３】
第１のスイッチとしてのスイッチＳＷ３ａ（４９ａ）は、第１の実施の形態に関する電源供給装置２と同様に接続し、電源オン手段２３０として機能する。
第２のスイッチとしてのスイッチＳＷ３ｂ（４９ｂ）は、以下の構成に基づいて電源オフ手段２３２として機能する。即ち、電源スイッチＳＷ３（４９）が閉状態となったときに、スイッチＳＷ３ｂ（４９ｂ）の図中右側の端子をＡＣ入力３１に接続させる構成としている。更に、電源スイッチＳＷ３（４９）が押下されスイッチＳＷ３ａ（４９ａ）及びスイッチＳＷ３ｂ（４９ｂ）が閉状態となったときに、ＡＣ入力３１をスイッチＳＷ３ｂ（４９ｂ）の図中左側の端子からスイッチ押下検出回路８０に導く構成としている。以下、電源オフ手段２３２を機能させる電源スイッチＳＷ３（４９）及びスイッチ押下検出回路８０に関する構成を詳細に説明する。
【００６４】
スイッチ押下検出回路８０は、一次側双方向フォトカプラ８１Ａ、抵抗８２、抵抗８３及び抵抗８４から構成される。一次側双方向フォトカプラ８１Ａは、電源オンオフ制御回路７０の二次側双方向フォトカプラ８１Ｂと一体となって機能する。一次側双方向フォトカプラ８１Ａは、一次側双方向フォトカプラ８１ＡのＴ１端子とＴ２端子間の電圧が発光ダイオードのオン閾値電圧Ｖａより大きい時及びオン閾値電圧−Ｖａより小さい時に発光ダイオードが発光し、光信号８１ｓを出力する。
二次側双方向フォトカプラ８１Ｂは、この光信号８１ｓを光信号８１ｒとして受けてフォトトランジスタがオンとなる。スイッチ押下検出回路８０は、この一次側双方向フォトカプラ８１Ａ及び二次側双方向フォトカプラ８１Ｂの特性を利用して、スイッチ押下検出信号としてのＳＷ３ｂＯＮ−Ｎ信号９８を生成し、電源オフ時のスイッチＳＷ（４９）の押下を検出する。
【００６５】
一次側双方向フォトカプラ８１ＡのＴ１端子は、抵抗８２を介してスイッチＳＷ３ｂ（４９ｂ）の図中左側の端子に接続される。この接続により電源スイッチＳＷ３（４９）が閉状態のときに抵抗４４及びヒューズ３２を介してＡＣ入力３１の図中上側の相と接続される。また、一次側双方向フォトカプラ８１ＡのＴ２端子は抵抗８３を介してＡＣ入力３１の図中下側の相と接続される。尚、一次側双方向フォトカプラ８１Ａの両端には、電圧の安定化ために抵抗８４が接続される。
【００６６】
一方、二次側においては、電源オンオフ制御回路７０に二次側双方向フォトカプラ８１Ｂのフォトトランジスタを配設し、スイッチ押下検出信号としてのＳＷ３ｂＯＮ−Ｎ信号９８をオープンコレクタによって制御部９０のＣＰＵ９４に出力する。ＳＷ３ｂＯＮ−Ｎ信号９８は、プルアップ抵抗９６により電源電圧Ｖｃｃ（９３）にプルアップされてＣＰＵ９４に入力される。
その他の電源オンオフ回路４０、整流回路５０、ＡＣ−ＤＣ電源部６０及び制御部９０の構成は、第１の実施の形態に関する電源供給装置２の構成と同様であるので簡略化のためにその詳細な説明は省略する。
【００６７】
次に、第２の実施の形態に関する電源供給装置２及びその周辺の機能ブロックを説明する。図８は、第２の実施の形態に関する電源供給装置及びその周辺の機能ブロック図である。図８に示すように、第２の実施の形態に関する電源供給装置２は、一次側に、ＡＣ入力開閉手段２１０、電源オン手段２３０及び電源オフ手段２３２を備える。また、一次側から二次側に亘ってＡＣ−ＤＣ電源手段２２０を備える。
【００６８】
ＡＣ入力開閉手段２１０は、ＡＣ入力３１を開閉し電源オフ状態又は電源オン状態とするものである。ＡＣ入力開閉手段２１０は、第１の実施の形態に関する電源供給装置２と同様に、例えば図７に示す電源オンオフ回路４０のトライアック４１により機能する。
電源オン手段２３０は、一次側に自動復帰型で第２のスイッチとしてのスイッチＳＷ３ｂ（４９ｂ）と同時に開閉する第１のスイッチとしてのスイッチＳＷ３ａ（４９ａ）を具備し、ＡＣ入力３１を用いてＡＣ入力開閉手段２１０を電源オン状態とするものである。
【００６９】
電源オン手段２３０は、例えば図７に示す電源オンオフ回路４０の一次側フォトトライアックカプラ４６Ｂ及び一次側フォトトライアックカプラ４６Ｂと並列に接続される電源スイッチＳＷ３（４９）のスイッチＳＷ３ａ（４９ａ）により機能する。一次側フォトトライアックカプラ４６Ｂは、二次側の電源オンオフ制御回路７０の二次側フォトトライアックカプラ４６Ａと一体となって機能する。
【００７０】
ＡＣ−ＤＣ電源手段２２０は、ＡＣ入力開閉手段２１０の電源オン状態におけるＡＣ入力３１をＤＣ出力に変換するものである。ＡＣ−ＤＣ電源手段２２０は、例えば図７に示す整流回路５０、トランス６０Ｔ、電源制御ＩＣ５４及びＦＥＴ５２からなるスイッチング回路、ダイオード６３及び電解コンデンサ６４からなる平滑回路及び出力電圧を一定とするための電圧ＦＢ回路６６により機能する。
【００７１】
電源オフ手段２３２は、第２のスイッチを第１のスイッチと同時に開閉させ、閉じたときにＡＣ入力３１に基づいてスイッチ押下検出信号（ＳＷ３ｂＯＮ−Ｎ）を生成し、電源オフ状態とするものである。電源オフ手段２３２は、例えば図７に示す電源スイッチＳＷ３（４９）の第２のスイッチとしてのスイッチＳＷ３ｂ（４９ｂ）及びスイッチ押下検出回路８０により機能する。スイッチ押下検出回路８０の一次側双方向フォトカプラ８１Ａは、二次側の電源オンオフ制御回路７０の二次側双方向フォトカプラ８１Ｂと一体となって機能する。
【００７２】
制御手段２４０は、ＡＣ−ＤＣ電源手段２２０により出力されたＤＣ出力電圧６７により動作し、電源オン手段２３０にＡＣ入力開閉手段２１０の電源オン状態を継続させる。そして、制御手段２４０は、電源オフ手段２３２からのスイッチ押下検出信号（ＳＷ３ｂＯＮ−Ｎ信号９８）に基づいて、電源オン手段２３０を介してＡＣ入力開閉手段２１０を電源オフ状態とするものである。制御手段２４０は、例えば図７に示す制御部９０により機能する。
【００７３】
上記各手段は次のように接続される。即ち、一次側の電源オン手段２３０、ＡＣ入力開閉手段２１０及び電源オフ手段２３２には、ＡＣ入力３１が入力される。ＡＣ入力開閉手段２１０の出力にはＡＣ−ＤＣ電源手段２２０が接続される。ＡＣ−ＤＣ電源手段２２０の出力はＤＣ出力電圧６７として制御手段２４０に接続される。電源オフ手段２３２の出力は、ＳＷ３ｂＯＮ−Ｎ信号９８として制御手段２４０に入力される。制御手段２４０からは、ＰｏｗｅｒＯＮ−Ｐ信号９５が電源オン手段２３０に出力される。
【００７４】
以上の機能ブロックにより、第２の実施の形態に関する電源供給装置２は、電源オン手段２３０により電源オン状態としＡＣ−ＤＣ電源手段２２０により出力されたＤＣ出力電圧６７により制御手段２４０を動作させる。制御手段２４０は電源オン手段２３０に対しＡＣ入力開閉手段２１０の電源オン状態を継続させ、そして、制御手段２４０は電源オフ手段２３２に対しスイッチ押下検出信号（ＳＷ３ｂＯＮ−Ｎ信号９８）を制御手段２４０に出力させ、電源オン手段２３０に対してはＡＣ入力開閉手段２１０を電源オフ状態とさせる。
【００７５】
以上の構成により、第２の実施の形態に関する電源供給装置２及び画像形成装置１は、以下のように動作する。尚、第２の実施の形態に関する画像形成装置１の動作は、第１の実施の形態に関する画像形成装置１の動作と同様であるのでその説明を省略する。
以下、第２の実施の形態に関する電源供給装置２の動作を説明する。図９は、第２の実施の形態に関する電源供給装置のタイムチャート図である。図９は、オフモードから電源オン状態に移行し、更に電源オフ状態に移行するときの時間ｔの経過に対する各部の信号又は状態を示す。即ち、ＡＣ入力３１の波形、電源スイッチＳＷ３（４９）の状態、トライアック４１のゲート電圧の波形、トライアック４１の状態、整流回路５０への入力電圧の波形、ＤＣ出力電圧６７の波形、ＰｏｗｅｒＯＮ−Ｐ信号９５の波形、二次側フォトトライアックカプラ４６Ａの状態、一次側フォトトライアックカプラ４６Ｂの状態、一次側双方向フォトカプラ８１Ａへの印加電圧の波形、及びＳＷ３ｂＯＮ−Ｎ信号９８の波形を示す。
【００７６】
以下、図９に示すタイミングＴ２０乃至タイミングＴ３８について順に、図７の回路ブロック図及び図８の機能ブロック図を用いてを電源供給装置２の動作を説明する。最初にタイミングＴ２０乃至タイミングＴ２９までの第２の実施の形態に関する電源供給装置２の電源オンシーケンスの動作を説明する。
タイミングＴ２０：電源供給装置２の差込プラグ５ａをＡＣ１００Ｖ等の商用交流電源の電源タップに挿入したままの場合、オフモードが保持されている。
タイミングＴ２１：電源スイッチＳＷ３（４９）が押下されると、電源スイッチＳＷ３（４９）のスイッチＳＷ３ａ（４９ａ）は閉状態となる。この時、電源スイッチＳＷ３（４９）のスイッチＳＷ３ｂ（４９ｂ）も閉状態となる。
【００７７】
タイミングＴ２２：オフモードにおいて、電源スイッチＳＷ３（４９）のスイッチＳＷ３ａ（４９ａ）が閉状態となると、トライアック４１のゲートＧに抵抗４４を介してＡＣ入力３１が供給される。
タイミングＴ２３：トライアック４１のゲートＧにＡＣ入力３１が供給されると、トライアック４１がオンし導通状態となり、整流回路５０にＡＣ入力３１が入力され、電源が起動される。
【００７８】
このようにタイミングＴ２０乃至Ｔ２３において、電源オン手段２３０は、オフモードにおいて電源スイッチＳＷ３（４９）が押下されると、ＡＣ入力３１を用いてＡＣ入力開閉手段２１０を導通状態とし、ＡＣ−ＤＣ電源手段２２０にＡＣ入力３１を供給させる。
ここで、トライアック４１がオンし導通状態となる時の時間軸を拡大したＡＣ入力３１の波形、電源スイッチＳＷ３（４９）の状態等は、図５に示す状態又は波形と同様であるので説明を省略する。尚、第２の実施の形態の電源供給装置２では、図５に示す電源オンスイッチＳＷ１（４５）の状態は電源スイッチＳＷ３（４９）の状態に相当し、タイミングＴ１及びＴ３はタイミングＴ２１及びタイミングＴ２３に相当する。
【００７９】
タイミングＴ２４：トライアック４１がオンし導通状態となると、整流回路５０に入力されたＡＣ入力３１が全波整流され、電解コンデンサ５１により平滑される。この時、電源制御ＩＣ５４のＶｉｎ端子に所定の電圧が供給され、電源制御ＩＣ５４が起動する。
タイミングＴ２５：電源制御ＩＣ５４が起動すると、ＦＥＴ５２のスイッチングが開始され、オン時に一次側巻き線６１に電流が流れ、オフ時に二次側巻き線６２に二次側電圧が発生する。発生した二次側電圧はダイオード６３と電解コンデンサ６４により平滑され、ＤＣ出力電圧６７が出力される。この時、電圧ＦＢ回路６６及び電源制御ＩＣ５４によりＦＥＴ５２のスイッチングデューティを変化させてＤＣ出力電圧６７を一定電圧に制御する。
【００８０】
このようにタイミングＴ２４及びＴ２５において、ＡＣ−ＤＣ電源手段２２０は、ＡＣ入力開閉手段２１０からＡＣ入力３１が入力されるとＤＣ出力電圧６７を出力し制御手段２４０に電源を供給する。
タイミングＴ２６：制御部９０にＤＣ出力電圧６７が入力されると、ＤＣ／ＤＣ変換部９２によりＣＰＵ９４の電源電圧Ｖｃｃ（９３）に変換されＣＰＵ９４に供給され、ＣＰＵ９４が起動する。ＣＰＵ９４が起動すると、ＣＰＵ９４はＰｏｗｅｒＯＮ−Ｐ信号９５をＨｉｇｈレベルとして出力する。
【００８１】
このようにタイミングＴ２６において、制御手段２４０は、ＤＣ出力電圧６７が供給されると、ＨｉｇｈレベルのＰｏｗｅｒＯＮ−Ｐ信号９５を電源オン手段２３０に出力する。
タイミングＴ２７：ＰｏｗｅｒＯＮ−Ｐ信号９５がＨｉｇｈレベルとなると、二次側フォトトライアックカプラ４６Ａの発光ダイオードのアノードＡにＨｉｇｈレベルの電圧が印加される。
【００８２】
タイミングＴ２８：このＨｉｇｈレベルの電圧により二次側フォトトライアックカプラ４６Ａの発光ダイオードに電流が流れ、光信号４６ｓが出力され、これを光信号４６ｒとして受信して一次側フォトトライアックカプラ４６Ｂのフォトトライアックがオン状態となる。一次側フォトトライアックカプラ４６Ｂのフォトトライアックがオン状態となると、電源スイッチＳＷ３（４９）の押下が終了しスイッチＳＷ３ａ（４９ａ）が開状態となっても、一次側フォトトライアックカプラ４６Ｂのフォトトライアックがオン状態となっており閉回路が形成される。それ故、トライアック４１のゲートＧの電圧は変化せずに、トライアック４１の導通状態が保持され、図７の黒三角形で示すタイミングでオン状態がラッチされる。
【００８３】
タイミングＴ２９：電源スイッチＳＷ３（４９）が自動復帰型スイッチの場合、押下が終了するとスイッチＳＷ３ａ（４９ａ）が開状態に復帰する。この時、タイミングＴ２８においてオン状態がラッチされているので、スイッチＳＷ３ａ（４９ａ）が開状態に復帰してもオン状態が保持される。
このようにタイミングＴ２７乃至Ｔ２９において、電源オン手段２３０は、制御手段２４０からのＨｉｇｈレベルのＰｏｗｅｒＯＮ−Ｐ信号９５によりＡＣ入力開閉手段２１０に電源オン状態を保持させる。
以上のタイミングＴ２１からタイミングＴ２９間が、第２の実施の形態に関する電源供給装置２の電源オンシーケンスである。
【００８４】
次に、タイミングＴ２０乃至タイミングＴ３８までの、第２の実施の形態に関する電源供給装置２のオフモードに移行する電源オフシーケンスの動作を説明する。尚、印刷が終了し所定の時間が経過したときにもオフモードに移行するように動作するが、以下の説明では、電源オンの状態において電源スイッチＳＷ３（４９）が押下された場合のオフモードへの移行動作について説明する。
【００８５】
タイミングＴ３０：電源オンの状態において、スイッチＳＷ３ａ（４９ａ）と共にスイッチＳＷ３ｂ（４９ｂ）が閉状態となると、ＡＣ入力３１がスイッチ押下検出回路８０に入力される。スイッチ押下検出回路８０のこの状態を「スイッチ押下検出状態」という。スイッチ押下検出回路８０がスイッチ押下検出状態となると、一次側双方向フォトカプラ８１Ａに印加されるＡＣ入力３１に基づく印加電圧Ｖａｃｋにより、一次側双方向フォトカプラ８１Ａがオンオフし、次のようにＳＷ３ｂＯＮ−Ｎ信号９８が生成される。
【００８６】
図１０は、第２の実施の形態に関する電源供給装置のスイッチ押下検出回路の動作説明図である。尚、図１０は、電源オン状態において電源スイッチＳＷ３（４９）が押下されたときの時間ｔの経過に対するＡＣ入力３１の波形、電源スイッチＳＷ３（４９）の状態、ＤＣ出力電圧６７の波形、一次側双方向フォトカプラ８１Ａへの印加電圧Ｖａｃｋの波形、及びＳＷ３ｂＯＮ−Ｎ信号９８の波形を示す。
図１０に示すように、電源オン状態において電源スイッチＳＷ３（４９）が押下され、電源スイッチＳＷ３（４９）が閉状態となると、一次側双方向フォトカプラ８１ＡのＴ１端子及びＴ２端子間にＡＣ入力３１に基づく印加電圧Ｖａｃｋが印加され始める（タイミングＴ３０）。
この時、電源オン状態であるので、ＤＣ出力電圧６７には２４Ｖが出力されている。
【００８７】
スイッチ押下検出回路８０では、一次側双方向フォトカプラ８１Ａに印加される印加電圧Ｖａｃｋがオン閾値電圧Ｖａより大きい時及びオン閾値電圧−Ｖａより小さい時に一次側双方向フォトカプラ８１Ａの発光ダイオードが光信号４６ｓを出力する。この光信号４６ｓを光信号４６ｒとして受信して、二次側の電源オンオフ制御回路７０の二次側双方向フォトカプラ８１Ｂのフォトトランジスタがオンとなる。
その結果、一次側双方向フォトカプラ８１Ａに印加される印加電圧Ｖａｃｋがオン閾値電圧Ｖａより大きい時及びオン閾値電圧−Ｖａより小さい時に、電源オンオフ制御回路７０から出力されるＳＷ３ｂＯＮ−Ｎ信号９８がＬｏｗレベルとなる。即ち、ＡＣ入力３１の最大振幅近傍のタイミングＴｏｎでＯＦＦからＯＮに変化し再びタイミングＴｏｆｆでＯＮからＯＦＦに変化するＡＣ入力３１の周期に基づくパルス信号としてのＳＷ３ｂＯＮ−Ｎ信号９８が生成される。
【００８８】
このようにスイッチ押下検出回路８０では、ＳＷ３ｂＯＮ−Ｎ信号９８を、スイッチＳＷ３ｂ（４９ｂ）が閉じている間に一次側双方向フォトカプラ８１Ａに印加される印加電圧Ｖａｃｋの絶対値が所定の閾値より大きいか小さいかで検出する。即ち、印加電圧Ｖａｃｋの絶対値が、一次側双方向フォトカプラ８１Ａのオン閾値電圧Ｖａを超えたときに二次側双方向フォトカプラ８１Ｂのフォトトランジスタをオンさせて生成する。
【００８９】
上記のように、スイッチ押下検出回路８０により、ＡＣ入力３１の最大振幅近傍の電圧によりＳＷ３ｂＯＮ−Ｎ信号９８を生成するので、コンパレータなどによりＡＣゼロクロス近傍の電圧により生成する場合に比べ、ＡＣノイズに強いＳＷ３ｂＯＮ−Ｎ信号９８を生成することができる。また、やや応答性の低いフォトカプラを用いてＳＷ３ｂＯＮ−Ｎ信号９８を生成するので、スイッチングノイズ等に強いＳＷ３ｂＯＮ−Ｎ信号９８を生成することができる。
このようにタイミングＴ３０において、電源オフ手段２３２は、電源オンの状態において電源スイッチＳＷ３（４９）が押下されると、ＳＷ３ｂＯＮ−Ｎ信号９８を制御手段２４０に出力する。
【００９０】
ＣＰＵ９４は、ＳＷ３ｂＯＮ−Ｎ信号９８のパルス信号の所定のパルス数をカウントすることにより、例えば１０パルスの信号が連続して検出されたときに、電源スイッチＳＷ３（４９）が電源オフのために押下されたと判定しオフモードヘの移行処理を開始する（タイミングＴ３０ｘ）。
例えば、ＡＣ入力３１が５０Ｈｚのときは、一周期が２０ｍｓであり（最初のパルス以外は）１０ｍｓごとに１パルスが生成されるので、１０パルスに相当するスイッチ押下検出時間ｔｘ＝約１００ｍｓの間、ＳＷ３ｂＯＮ−Ｎ信号９８にパルスが連続で検出されたときにオフモードヘの移行処理を開始する。
【００９１】
尚、図９に示す電源オンシーケンスのタイミングＴ２５乃至タイミングＴ２９間においても電源スイッチＳＷ３（４９）が押下されている間はスイッチ押下検出回路８０がスイッチ押下検出状態となり、ＳＷ３ｂＯＮ−Ｎ信号９８としてパルスが出力される。従って、電源オンシーケンスにおいては、ＣＰＵ９４は、生成されたＳＷ３ｂＯＮ−Ｎ信号９８のパルスを無視するようにする。
タイミングＴ３１：その後、電源スイッチＳＷ３（４９）の押下が終了すると電源スイッチＳＷ３（４９）は自動復帰する。
【００９２】
タイミングＴ３２：タイミングＴ３０においてＣＰＵ９４は電源オフのために押下されたと判定すると、オフモードに移行する処理としてＰｏｗｅｒＯＮ−Ｐ信号９５をＬｏｗレベルとする。
このようにタイミングＴ３２において、制御手段２４０は、ＳＷ３ｂＯＮ−Ｎ信号９８により電源スイッチＳＷ３（４９）が電源オフのために押下されたと判定すると、ＬｏｗレベルのＰｏｗｅｒＯＮ−Ｐ信号９５を電源オン手段２３０に出力する。
タイミングＴ３３：ＰｏｗｅｒＯＮ−Ｐ信号９５にＬｏｗレベルが出力されると二次側フォトトライアックカプラ４６Ａの発光ダイオードのアノードＡ側がＬｏｗレベルとなり、二次側フォトトライアックカプラ４６Ａの発光ダイオードに電流が流れなくなる。
【００９３】
タイミングＴ３４：二次側フォトトライアックカプラ４６Ａの発光ダイオードに電流がオフとなると、一次側フォトトライアックカプラ４６Ｂのフォトトライアックが光信号４６ｒを受信しなくなりオフ状態となる。
タイミングＴ３５：一次側フォトトライアックカプラ４６Ｂのフォトトライアックがオフ状態となると、電源スイッチＳＷ３（４９）も既に開状態となっているので、トライアック４１のゲートＧへのゲート電流がいずれからも供給されず遮断される。トライアック４１のゲートＧへのゲート電流が遮断されるとトライアック４１のゲートＧに印加される電圧が降下する。
【００９４】
タイミングＴ３６：トライアック４１のゲートＧへのゲート電流が遮断されると、トライアック４１がオン状態からオフ状態に切り替わる。
このようにタイミングＴ３３乃至Ｔ３６において、電源オン手段２３０は、制御手段２４０からのＬｏｗレベルのＰｏｗｅｒＯＮ−Ｐ信号９５により、ＡＣ入力開閉手段２１０をオフ状態とする。
タイミングＴ３７：トライアック４１がオフ状態となることにより、ＡＣ入力３１が遮断され、図７の白三角形に示すタイミングで電源オン状態が解除される。
【００９５】
ここで、トライアック４１がオフ状態となる時のＡＣ入力３１の波形、二次側フォトトライアックカプラ４６Ａの状態等は、図６に示す状態又は波形と同様であるので説明を省略する。尚、図６中のタイミングＴ１３乃至Ｔ１７は、第２の実施の形態に関する電源供給装置２ではタイミングＴ３３乃至Ｔ３７に相当する。
タイミングＴ３８：ＡＣ入力３１が遮断されることにより、出力されていたＤＣ出力電圧６７が出力されなくなり、電源供給装置２はオフモードとなる。
このようにタイミングＴ３７及びＴ３８において、ＡＣ−ＤＣ電源手段２２０は、ＡＣ入力開閉手段２１０がオフ状態となることにより、電源オン状態が解除され、電源供給装置２はオフモードに移行する。
【００９６】
以上のタイミングＴ３０からタイミングＴ３８間が、第２の実施の形態に関する電源供給装置２の電源オフシーケンスである。第２の実施の形態に関する電源供給装置２においても、タイミングＴ３８以降のオフモードにおいて、ＡＣ入力３１から電流が流れるルートはなく、省電力化ができる。即ち、オフモードにおいて、トライアック４１はオフ状態となり、一次側フォトトライアックカプラ４６Ｂもオフ状態となる。また、電源スイッチＳＷ３（４９）も開状態であるので、ＡＣ入力３１から電流が流れるルートはなく、省電力化ができる。
【００９７】
尚、以上の説明では、電源オフスイッチＳＷ２（７３）が押下された場合のオフモードへの移行動作について説明したが、印刷が終了し所定の時間が経過したときのオフモードへの移行動作も同様のシーケンスとなる。この場合、印刷が終了した後、ＣＰＵ９４の図示しないタイマーにより所定の時間を計測し、所定の時間が経過した時にタイミングＴ３２の動作と同様にＰｏｗｅｒＯＮ−Ｐ信号９５をＬｏｗレベルとし、オフモードに移行させればよい。
【００９８】
以上のように、第２の実施の形態に関する電源供給装置２によれば、電源オン手段２３０及び電源オフ手段２３２として一次側に双極単投型の電源スイッチＳＷ３（４９）を設け、電源オフモードに移行するときも電源スイッチＳＷ３（４９）を用いる構成としたので、第１の実施の形態に関する電源供給装置２の効果に加え、部品数を減らすことができ、かつ電源オンオフの操作を容易にすることができる。
また、電源オフ手段２３２として双方向フォトカプラによるスイッチ押下検出回路８０を設けたので、ＡＣノイズに強く高精度に、オフモードに移行する際の電源スイッチ４９の押下を検出することができる。また、電源スイッチ４９が押下されたと判定するＳＷ３ｂＯＮ−Ｎ信号９８のパルス数の設定を変えれば、スイッチ押下検出時間ｔｘを変えることもできる。
【００９９】
（変形例１）
本発明は、以上の実施の形態に限定されるものではなく、本発明の趣旨に基づいて変形することが可能であり、それらを本発明の範囲から排除するものでもない。例えば、以上の実施の形態の説明では、電源供給装置２の負荷装置として電子写真方式の画像形成装置１を一例として説明したが、静電記録方式、静電印刷方式及びトナージェット方式の画像形成装置１であってもよい。また、負荷装置としてプリンタを例として説明したが、複写機、ファクシミリ及び複合機であってもよいし、その他の電子機器であってもよい。
【０１００】
（変形例２）
また、以上の実施の形態の説明では、電源供給装置２としてフライバック方式の電源供給装置２を例として説明したが、スイッチング素子ＦＥＴ５２のオン期間中にトランス６０Ｔを介して電力を一次側から二次側に送るフォワード方式、電流共振型のＬＬＣ制御方式等の電源にも本発明を適用することができる。
【０１０１】
（変形例３）
また、第２の実施の形態の電源供給装置２では、スイッチ押下検出回路８０を一次側双方向フォトカプラ８１Ａ及び二次側双方向フォトカプラ８１Ｂによりスイッチ押下を検出するように説明したが、以下のようにしてもよい。
即ち、双方向フォトカプラではなく、単一方向のフォトカプラを用いてＡＣ入力３１の正相側又は逆相側の最大振幅近傍の電圧を検出してＳＷ３ｂＯＮ−Ｎ信号９８を生成するようにしてもよい。この場合、発生するパルス数は半分になり（最初のパルス以外は）２０ｍｓごとに発生するので、スイッチ押下検出時間ｔｘ＝約１００ｍｓとする場合は、スイッチオンと判定するＳＷ３ｂＯＮ−Ｎ信号９８のパルス数を５パルスとする。
【０１０２】
（変形例４）
また、第２の実施の形態の電源供給装置２では、スイッチ押下検出回路８０によりスイッチオンと判定するＳＷ３ｂＯＮ−Ｎ信号９８のパルス数を所定の数として設定しておくように説明したが、画像形成装置１の操作表示部３０等によりスイッチオンと判定するＳＷ３ｂＯＮ−Ｎ信号９８のパルス数を任意に設定できるようにしてもよい。
【０１０３】
（変形例５）
また、以上の実施の形態の説明では、第２の実施の形態の電源供給装置２において、スイッチ押下検出回路８０より電源スイッチＳＷ３（４９）のスイッチＳＷ３ｂ（４９ｂ）の押下を検出するように説明したが、以下のようにしてもよい。即ち、第１の実施の形態の電源供給装置２及び画像形成装置１において、スイッチ押下検出回路８０より電源オフスイッチＳＷ２（７３）のスイッチ押下の検出に用いるようにしてもよい。また、電源オンスイッチＳＷ１（４５）及び電源スイッチＳＷ３（４９）のスイッチＳＷ３ａ（４９ａ）の電源オン時のスイッチ押下を検出する場合には、スイッチ押下検出回路８０を用いることもできる。
【符号の説明】
【０１０４】
１      画像形成装置                        ２      電源供給装置
３０    操作表示部                          ３１    ＡＣ入力
４０    電源オンオフ回路                    ４１    トライアック
４５    電源オンスイッチＳＷ１              ４９    電源スイッチＳＷ３
４９ａ  スイッチＳＷ３ａ                    ４９ｂ  スイッチＳＷ３ｂ
６７    ＤＣ出力電圧                        ７０    電源オンオフ制御回路
７３    電源オフスイッチＳＷ２              ８０    スイッチ押下検出回路
９０    制御部                              ９５    ＰｏｗｅｒＯＮ−Ｐ信号
９７    ＳＷ２ＯＮ−Ｎ信号                  ９８    ＳＷ３ｂＯＮ−Ｎ信号
２１０  ＡＣ入力開閉手段                    ２２０  ＡＣ−ＤＣ電源手段
２３０  電源オン手段                        ２３１、２３２  電源オフ手段
２４０  制御手段
【図１】
2020148951.tif 000003
【図２】
2020148951.tif 000004
【図３】
2020148951.tif 000005
【図４】
2020148951.tif 000006
【図５】
2020148951.tif 000007
【図６】
2020148951.tif 000008
【図７】
2020148951.tif 000009
【図８】
2020148951.tif 000010
【図９】
2020148951.tif 000011
【図１０】
2020148951.tif 000012
【図１１】
2020148951.tif 000013